(57)【要約】本発明は、チューナ及び復調器を具備した受信装置においてＯＦＤＭ信号のパラメータを決定する方法、並びに、関連した受信装置に関する。この方法は、特定のＦＦＴモードパラメータの値で復調器をプログラミングする手順（ａ）と、上記特定のＦＦＴモードパラメータの値及び特定のガード時間値に対し、信号の他のパラメータを網羅的に変動させる手順（ｂ）と、変動フェーズ中に搬送波復元ループの寄生発振が一時的にでも存在しないことを検証する手順（ｃ）と、寄生発振が存在しない状況で、別のＦＦＴモードで先行の手順を繰り返す手順（ｄ）と、一時的な寄生発振に対応するパラメータ構造を保持する手順（ｅ）と、搬送波復元ループの永続的なロックオンが検出されるまで、上記パラメータ構造毎にガード時間値を変更する手順（ｆ）と、を有する。
2004517511.tif 000002
【特許請求の範囲】
【請求項１】
チューナ及び復調器を具備した受信装置においてＯＦＤＭタイプの信号のパラメータを決定する方法であって、
特定のＦＦＴモードパラメータの値で復調器をプログラミングする手順（ａ）と、
上記特定のＦＦＴモードパラメータの値及び特定のガードインターバル値に対し、信号の他のパラメータを網羅的に変動させる手順（ｂ）と、
変動フェーズ中に搬送波復元ループのロックオンが一時的にでも存在しないことを検証する手順（ｃ）と、
ロックオンが存在しない場合に、別のＦＦＴモードで先行の手順を繰り返す手順（ｄ）と、
を有することを特徴とする方法。
【請求項２】
手順（ｃ）で値が変更されるパラメータは、反転及び周波数シフトのパラメータであることを特徴とする、請求項１記載の方法。
【請求項３】
一時的なロックオンに対応するパラメータ構造を保持する手順（ｅ）と、
搬送波復元ループの永続的なロックオンが検出されるまで、上記パラメータ構造毎にガードインターバル値を変更する手順（ｆ）と。
を更に有することを特徴とする請求項１又は２記載の方法。
【請求項４】
搬送波復元ループの永続的なロックオンを生じさせるパラメータ構造に対し、受信装置の入力段の少なくとも一つの誤り訂正モジュールの同期を検証する手順を更に有することを特徴とする請求項３記載の方法。
【請求項５】
搬送波復元ループのロックオンの検出は復調器の状態ビットを監視することによって実行されることを特徴とする、請求項１乃至４のうちいずれか一項記載の方法。
【請求項６】
チューナとチューナに連結された復調器とを具備し、ＯＦＤＭタイプの信号を受信する装置であって、
信号のＦＦＴモードパラメータの特定の値に対し復調器をプログラミングする手段（３３，３４）と、
上記特定のＦＦＴモードパラメータの値及び特定のガードインターバル値に対し、信号の他のパラメータを網羅的に変動させる手段（３４）と、
変動フェーズ中に搬送波復元ループのロックオンが一時的にでも存在しないことを検証し、ロックオンが存在しない場合に、別のＦＦＴモードでこの処理を繰り返す手段（３４）と、
を更に有することを特徴とする装置。
【発明の詳細な説明】
【０００１】
本発明の対象は、チューナ及び復調器を具備した受信装置においてＯＦＤＭ（直交周波数分割多重）タイプの信号のパラメータを決定する方法である。本発明は、特に、無線放送／地上放送デジタルテレビジョンシステムの分野に適用される。
【０００２】
地上波デジタルテレビジョン受信装置、特に、ＤＶＢ−Ｔ（デジタル・ビデオ地上波放送）タイプの受信機において、入力段の回路は、所与の受信周波数に対して、入力信号のある個数のパラメータを決定する。これらのパラメータには、特に、
−スペクトル反転（又はスペクトル非反転）
−ＣＯＦＤＭシンボル中の搬送波の個数
−シンボル間のガードインターバル期間
−周波数シフト（デジタルチャネルを隣のアナログ搬送波から遠ざけるため番組放送局によって使用される「オフセット」
が含まれる。
【０００３】
ＤＶＢ−Ｔ規格によると、上記の各パラメータの取り得る値の個数は、夫々、２個、２個、４個及び３個である。受信装置は、最大で４８通りのパラメータの組み合わせをテストする必要があり、これは、平均的に２４回の試行後に成功することに対応する。
【０００４】
本発明の対象は、チューナ及び復調器を具備した受信装置においてＯＦＤＭタイプの信号のパラメータを決定する方法であって、この方法は、
特定のＦＦＴモードパラメータの値で復調器をプログラミングする手順（ａ）と、
上記特定のＦＦＴモードパラメータの値及び特定のガード時間値に対し、信号の他のパラメータを網羅的に変動させる手順（ｂ）と、
変動フェーズ中に搬送波復元ループの寄生発振が一時的にでも存在しないことを検証する手順（ｃ）と、
寄生発振が存在しない状況で、別のＦＦＴモードで先行の手順を繰り返す手順（ｄ）と、
を有することを特徴とする。
【０００５】
ガードインターバルとは無関係に、復調器の状態を観察することによって、ＦＦＴモード（すなわち、ＯＦＤＭシンボルの搬送波の個数）を検出可能であることがわかった。かくして、テストされるべきパラメータ構造（コンフィギュレーション）の最大個数は、４８個から３０個に削減され、これは、平均的に１５回の試行後に正しい構造が見つけられることに対応する。
【０００６】
本発明の別の対照は、この検出方法を実現する受信装置である。
【０００７】
本発明のその他の特徴及び効果は、添付図面に示されているような具体的な実施例の説明によって明らかになるであろう。
【０００８】
図１ａ及び１ｂの受信装置／復号化器のチューナ１は、ソース２に接続された無線周波（ＲＦ）信号の入力を具備する。本例によれば、受信装置／復号化器が動作する環境は、ＤＶＢ−Ｔ規格（ＥＴＳＩによって発行された欧州規格ＥＮ  ３００  ７４４）に準拠し、この場合のソースは地上波アンテナである。ＲＦ信号の入力は増幅器３へ連結され、増幅器３の出力は二重周波数変換回路４に接続される。この回路は、第１発振器（図示せず）に連結された第１ミキサ５を用いて信号を第１中間周波数（信号ＩＦ１）に変換し、第２発振器（同様に図示せず）に連結された第２ミキサ６を用いて第２中間周波数（信号ＩＦ２）に変換する。信号ＩＦ１は、第２の変換の前に表面弾性波フィルタ７を介在させることによってフィルタ処理される。周波数変換回路は、入力側の増幅器８と出力側の増幅器９を更に具備する。
【０００９】
復調器１１から到来する自動利得制御（ＡＧＣ）信号は、復調器１２のアナログ／デジタル変換器１２の変換範囲に適合した復調器入力信号の振幅が得られるように、それ自体で知られた方式で、チューナの入力利得を調整する。
【００１０】
チューナ１は、復号化器のＩ２Ｃバスを備えたインタフェース１０を含む。このバスは、受信装置／復号化器のマイクロプロセッサ（図示せず）に連結され、適切なソフトウェアを利用してチューナの動作を制御することが可能である。
【００１１】
復調器の変換器１２は、外部発振器１３に接続される。本質的に知られた方式で、ＡＧＣ回路１４は、変換器の出力における信号から適切な利得制御信号を取得する。デジタル化された信号（この段階では、未だ実数）は、高速フーリエ変換の準備のため、回路１５によって複素数形式に変換される。内挿器フィルタ１６は、ある程度のクロックドリフトを訂正する目的で信号を再標本化する。時間同期回路３５は、内挿器フィルタを制御し、ＦＦＴ回路１８によって実行される高速フーリエ変換の窓の始まりを決定する。この窓は、ＯＦＤＭシンボルに対応する。周波数訂正は、周波数ドメインへ切り換える前にトランスポーズ回路１７によって実行される。この回路は、ＦＦＴ回路１８の出力で周波数ドメイン内の信号を解析する周波数同期回路１９によって制御される。
【００１２】
ＯＦＤＭシンボルのある搬送波は、所定の周波数及び所定のパワーをもち、信号（回路２０）のコモン位相誤り（ＣＰＥ）を訂正するため役立つ。伝送チャネル及び対応した量子化の推定は、量子化器２１によって実行される。量子化器から現れる複素サンプルは、ビタビ復号器専用の決定パラメータを本質的に知られた方式で判定するため、回路２２によって処理される（後述の通り）。サンプルは、量子化され（回路２３）、デインターリーブされ（回路２４）、逆多重化され（回路２５）、ビタビ復号化器（回路２６）のフォーマットになる。訂正データは、リード・ソロモン・ブロックの始まりを決定するため解析され（ブロック２７）、次に、リード・ソロモン復号化（ブロック２９）の前に、外部デインターリーブが実行される（ブロック２８）。得られたデータは、信号のエネルギーを分散させるために送信装置のレベルで実行された処理の逆処理であるスクランブル解除がなされる（ブロック３０）。最後に、セクション３１によって、直列形式又は並列形式のデータを取得することが可能になる。復調器は、Ｉ２Ｃバス用のインタフェースも保有する。
【００１３】
復調器は、例えば、ＬＳＩロジック社製のＬ６４７８１回路である。
【００１４】
復号化器は、さらに、ＴＰＳ復号化器３２と、Ｉ２Ｃバスインタフェース３３とを具備し、Ｉ２Ｃバスインタフェース３３は、チューナと復調器とマイクロプロセッサ３４を連結する。
【００１５】
ＴＰＳ復号化装置は、受信信号のある搬送波によって搬送される情報を復元する。ＤＶＢ−Ｔ文書に規定されているこの情報は、さらに、ＦＦＴモード（すなわち、２Ｋ又は８Ｋ）、使用される変調方式（ＱＰＳＫ、１６−ＱＡＭ、又は、６４−ＱＡＭ）、データが付加的なパラメータ（α）を用いて通常モード又は階層モードのどちらのモードで符号化されたか、ガードインターバル期間（１／３２、１／１６、１／８、１／４）、並びに、ビタビ・パンクチャリング・レート（１／２、２／３、３／４、５／６、７／８）を含む。この情報は、マイクロプロセッサ３４によって復元される。しかし、ＴＰＳデータは、復調器が信号に関係するある程度の個数のパラメータを保有するまでは、復調器によって信号から抽出され得ない。ＴＰＳデータの復元のため信号のロックオン（連続追跡）を実行すべく復調器によって要求される最低限度のパラメータは、
（ａ）ガードインターバル期間
（ｂ）ＦＦＴモード
（ｃ）スペクトル反転又は非反転
（ｄ）送信装置によって導入された周波数シフト（オフセット）
である。
【００１６】
ＴＰＳ搬送波の位置及びＴＰＳデータのため利用される変調方式は、固定であり、予め分かっている場合、これらのデータは何の問題も伴わずに復元される。
【００１７】
マイクロプロセッサは、パラメータ（ａ）からパラメータ（ｄ）を決定しなければならない。さらに、チャネルの幅は予め分かっていることを前提にする。本例によれば、チャネルの幅は８ＭＨｚで固定される。
【００１８】
二つのＦＦＴモードのうちの一方が選択され、復調器はそれに応じてプログラミングされる。選択されたＦＦＴモードが受信信号のモードではない場合、復調器の搬送波復元ループ（或いは、搬送波トラッキングループを表すＣＴＬ）のロックオンは実現できない。これに対して、正しいＦＦＴモードが選択された場合、復調器は、スペクトル反転パラメータと周波数シフトパラメータのある種の構造に対し、ガードインターバルの値とは無関係に連続追従する。この特定の性状によって、テストされるべき構造の総数を削減できるようになる。
【００１９】
この方法を初期化するための初期ＦＦＴモードは自由に選定できるが、或いは、一方のモード若しくは他方のモードへの過去の連続追従の統計的解析に基づいて選定してもよい。
【００２０】
以下の変数は、特に、この方法の説明のために利用される。
【００２１】
変数Ｓｔａｔｅ＿Ｌａｃｈｉｎｇ：この変数は、パラメータの構造が入力段のラッチングを許容するかどうかを示し、又は、ガードインターバルが正しく選定された場合に、構造がラッチングを生じさせる可能性があるかどうかを示す。この第１の変数は、Ａｂｓｅｎｃｅ＿Ｃａｒｒｉｅｒと、Ｐｏｔｅｎｔｉａｌ＿Ｃｏｎｆｉｇｕｒａｔｉｏｎ＿Ｄｅｔｅｃｔｅｄと、Ｄｅｔｅｃｔｉｏｎ＿Ｃａｒｒｉｅｒの３個の値のうちの一つの値をとる。
【００２２】
第２の変数Ｐｏｔｅｎｔｉａｌｓ＿Ｃｏｍｂｉｎａｔｉｏｎ：この変数は、復調器搬送波復元ループの動作の解析に続いて、所与のＦＦＴモードに対し、ラッチングのため必要な構造に対応する可能性がある（スペクトル反転、周波数シフト）ペアの構造の数を与える。
【００２３】
主要な方法（Ｐｇｍ１）：
図２は、動作パラメータを決定する概略的な方法（Ｐｇｍ１）のフローチャートである。最初に初期化が実行される。初期化には、二つのＦＦＴモードのうちの一方のモードの選択、ガードインターバルの選択、反転の選択、シフトの選択、並びに、他の各パラメータ（変調方式、パンクチャリング・レートなど）の値の選択が含まれる。復調器回路は、マイクロプロセッサによってそれ相応にプログラミングされる。
【００２４】
ＦＦＴモードの選択のため、図３に詳細に示されているルーチンＰｇｍ２は、（スペクトル反転、周波数シフト）ペアの値の様々な構造を再検討し、構造毎に、ロックオンが存在するか、或いは、少なくともロックオンの可能性があるかどうかを判定する。
（ａ）ロックオンしている場合、すなわち、初期選定されたＦＦＴモード及びガードインターバルが正しい場合、変数Ｓｔａｔｅ＿Ｌａｔｃｈｉｎｇに返される値は、Ｄｅｔｅｃｔｉｏｎ＿Ｃａｒｒｉｅｒであり、構造の候補（可能性のある構造）の個数は不適切である。
（ｂ）ガードインターバルが不正確であり、ＦＦＴモードが正しいため、ロックオンしていない場合、返還される構造の候補の個数は非零であり、変数Ｓｔａｔｅ＿Ｌａｔｃｈｉｎｇの値は、Ａｂｓｅｎｃｅ＿Ｃａｒｒｉｅｒである。
（ｃ）ＦＦＴモードが不正確であるためにロックオンしていない場合、変数Ｓｔａｔｅ＿Ｌａｔｃｈｉｎｇの値は、Ａｂｓｅｎｃｅ＿Ｃａｒｒｉｅｒであり、構造の候補の個数は零である。
【００２５】
上記の結果に基づいて、図２の方法は、後に続くべき進路を決定する。ケース（ｃ）では、初期選定されたＦＦＴモードが正しいモードであるとは考えられないので、手続全体がもう一方のＦＦＴモードを用いて再開される。この場合、その後には、ケース（ａ）又はケース（ｂ）の一方が正常に成り立つ。
【００２６】
ケース（ａ）が成立する場合、ロックオンが存在し、正しい構造が保存されている。手続は終了する。
【００２７】
ケース（ｂ）が成立する場合、ガードインターバルが変更され、図４のルーチンＰｇｍ３を用いて、ガードインターバルの値毎に、事前に保存された構造の候補の一つずつに対してラッチングがテストされる。
【００２８】
要約すると、構造は、最初に、ガードインターバルを無視してテストされ、次に、必要に応じて、構造の候補は、ガードインターバルを変更しながら再び取り上げられる。
【００２９】
周波数シフト及び反転パラメータを変更するルーチン（Ｐｇｍ２）：
図３は、（反転、周波数シフト）のパラメータペアの全ての値に対しラッチングテストを実行するルーチンを表す。値のペア毎に、ラッチングがあるか、又は、ラッチングの可能性が判定される。
【００３０】
ＦＦＴモードパラメータ及びガードインターバルパラメータは、このルーチンによって変更されない。
【００３１】
最初に、ペアの全ての構造がテストされたかどうか、及び、ラッチング状態が実際にＡｂｓｅｎｃｅ＿Ｃａｒｒｉｅｒであるかどうかを照合する検査が行われる。特に、あるテストの間にラッチングが行われるべきであった場合には、ループから直ちに抜け出る。
【００３２】
テストループ自体は、ルーチンＰｇｍ３を呼び出すことによって開始する。ルーチンＰｇｍ３は、ＣＴＬループのロックオンを検証し、このようなロックオンが検出された場合、入力段の誤り訂正部のロックオンである。ルーチンＰｇｍ３は、所与の構造に対し、変数Ｓｔａｔｅ＿Ｌａｔｃｈｉｎｇの値を返す。
【００３３】
Ｐｇｍ３から返されたラッチング状態に基づいて、Ｐｇｍ２は、Ｓｔａｔｅ＿Ｌａｔｃｈｉｎｇによってこの構造がロックオンを与える可能性がある旨が通知された場合、パラメータの構造を保存する。このようなケースでは、Ｓｔａｔｅ＿Ｌａｔｃｈｉｎｇは、値Ａｂｓｅｎｃｅ＿Ｃａｒｒｉｅｒにリセットされ、Ｐｇｍ２ルーチンの主要ループは、種々の構造を検査し続ける
搬送波復元ループＣＴＬと、復調回路の誤り訂正部のロックオンを検出するルーチン（Ｐｇｍ３）：
最初に、マイクロプロセッサは、全ての復元ループと、地上波復調器の内部ハンドラを再初期化する。新しいルーチン（Ｐｇｍ４）が初期化される。新しいルーチンは、復調回路のある種の状態レジスタによって、ＣＴＬ部のラッチングの状態を判定し、対応したＳｔａｔｅ＿Ｌａｔｃｈｉｎｇの状態を返す。搬送波がこのレベルでＰｇｍ４によって検出された場合、ルーチンＰｇｍ３は、ＴＰＳ搬送波の自動復調モードを作動することによって、この調査を更に進める。このモードは、このように復元されたデータを用いて復調器をプログラムすることが可能である。この自動モードが初期化された後、マイクロプロセッサは、リード・ソロモン復号化器の同期とスクランブル解除器３０の同期が有効であることを検証するため、復調回路の状態レジスタを走査する。この検証は、所与の時間に対して実行される。ラッチング状態は、この検証から決定される（二重同期がある場合、Ｐｒｅｓｅｎｃｅ＿Ｃａｒｒｉｅｒが選ばれ、さもなければ、Ａｂｓｅｎｃｅ＿Ｃａｒｒｉｅｒが選ばれる。）。
【００３４】
同期が見つかった場合、ルーチンＰｇｍ３は、この情報を、状態Ｐｒｅｓｅｎｃｅ＿Ｃａｒｒｉｅｒの形式でルーチンＰｇｍ２へ直ちに返す。誤り訂正部のレベルで同期が無かった場合、返還される状態は、最終的に、Ｐｏｔｅｎｔｉａｌ＿Ｃｏｎｆｉｇｕｒａｔｉｏｎである。その理由は、ルーチンＰｇｍ３が復調器の搬送波検出部のロックオンに続いてルーチンＰｇｍ２によって起動されたためである。更に、同期がない場合、構造は、ある種のパラメータが正しい値をとる旨を示すとしても、求められている最終構造ではないので、ＴＰＳ自動検出は停止する。
【００３５】
搬送波復元ループＣＴＬのロックオンを検出するルーチン（Ｐｇｍ４）：
このルーチンのフローチャートは図５に示されている。このルーチンは、ΔＴ２の最大待ち時間の間に、少なくとも散発的に、搬送波が検出されなかった場合に限り繰り返されるループを含む。
【００３６】
検出は以下の方式で実行される。マイクロプロセッサは、一方で、ＣＯＦＤＭフレームに関する復調器の同期が存在するかどうか、他方で、テストの瞬間に、搬送波復元ループ（搬送波トラッキングループとも称される）のラッチングが存在するかどうかを判定するため、復調器回路のレジスタのうちの一つの状態を監視する。本例で使用される構成部品の場合、当該レジスタは、アドレス０ｘ３２に配置された性能監視レジスタ１であり、監視される２ビットはＤ２とＤ３である。
【００３７】
ＴＰＳフレームに関する復調器の同期と、搬送波の復元が同時に有効である場合に限り、検出は有効である。逆の場合、インターバル期間ΔＴ２に対して連続的に、ＣＴＬビットに関するテストの結果が肯定的である回数がカウントアップされる。最終的に、このカウンタが限界値Ｎ以上になる場合に、可能性のある検出が確立される。Ｎは、例えば、６と一致するように選ばれる。
【００３８】
このルーチンは、次に、変数Ｓｔａｔｅ＿Ｌａｔｃｈｉｎｇの値として、例えば、上記の基準が充たされない場合には、Ａｂｓｅｎｃｅ＿Ｃａｒｒｉｅｒを返し、上記の基準が充たされる場合には、Ｐｏｔｅｎｔｉａｌ＿Ｃｏｎｆｉｇｕｒａｔｉｏｎを返す。
【００３９】
本発明がＤＶＢ−Ｔ以外の分野にも適用できることは明らかであり、例えば、３通り以上のＦＦＴモードが使用されるシステムの場合にも適用できる。
【図面の簡単な説明】
【図１ａ】
本発明による受信装置のチューナを表すブロック図である。
【図１ｂ】
本発明による受信装置の復調器を表すブロック図である。
【図２】
典型的な実施例によるパラメータ決定方法の主要部分（Ｐｇｍ１）のフローチャートである。
【図３】
ある種のパラメータの値を変更し、それらの組み合わせに対し少なくとも可能性のある連続追従を検証するための図２の方法の一部分（Ｐｇｍ２）のフローチャートである。
【図４】
パラメータの所与の組み合わせに対し少なくとも入力段の連続追従を検証するための図３の方法の一部分（Ｐｇｍ３）のフローチャートである。
【図５】
復調器の連続追従を検証するための図４のフローチャートの一部分（Ｐｇｍ４）のフローチャートである。
【図１ａ】
2004517511.tif 000003
【図１ｂ】
2004517511.tif 000004
【図２】
2004517511.tif 000005
【図３】
2004517511.tif 000006
【図４】
2004517511.tif 000007
【図５】
2004517511.tif 000008
【国際公開パンフレット】
2004517511.tif 000009
2004517511.tif 000010
2004517511.tif 000011
2004517511.tif 000012
2004517511.tif 000013
2004517511.tif 000014
2004517511.tif 000015
2004517511.tif 000016
2004517511.tif 000017
2004517511.tif 000018
2004517511.tif 000019
2004517511.tif 000020
2004517511.tif 000021
2004517511.tif 000022
2004517511.tif 000023
2004517511.tif 000024
2004517511.tif 000025
2004517511.tif 000026
2004517511.tif 000027
【国際調査報告】
2004517511.tif 000028
2004517511.tif 000029
2004517511.tif 000030
2004517511.tif 000031
2004517511.tif 000032
2004517511.tif 000033